(57)【要約】【課題】光信号の各チャネルの利得を簡単に一定に制御できること。【解決手段】光伝送装置１００は、入力される波長多重信号を光増幅するプリアンプ２０１，ポストアンプ２０４と、波長多重信号の任意の波長の光信号を分岐、挿入または透過するプリＷＳＳ２０２，ポストＷＳＳ２０３と、入力される波長多重信号と、出力する波長多重信号の各チャネルのパワーを検出する光チャネルパワーモニタ部２０９と、光チャネルパワーモニタ部２０９で検出された波長多重信号の各チャネルのパワーに基づき、装置に対する入出力間の各チャネルの利得が一定となる各チャネルの光信号の変化量を算出し、プリＷＳＳ２０２およびポストＷＳＳ２０３の減衰量を調整するデータ処理部２１０，ＷＳＳ制御部２１１と、を有する。【選択図】図２
2019075679.tif 000002
【特許請求の範囲】
【請求項１】
入力される波長多重信号を光増幅する光増幅器と、
前記波長多重信号の任意の波長の光信号を分岐、挿入または透過する波長選択スイッチと、
入力される前記波長多重信号と、出力する前記波長多重信号の各チャネルのパワーを検出する光チャネルパワーモニタ部と、
前記光チャネルパワーモニタ部で検出された前記波長多重信号の各チャネルのパワーに基づき、装置に対する入出力間の前記各チャネルの利得が一定となる前記各チャネルの光信号の変化量を算出し、前記波長選択スイッチの減衰量を調整する制御部と、
を有することを特徴とする光伝送装置。
【請求項２】
前記制御部は、
前記光チャネルパワーモニタ部で検出した各チャネルの利得から所定の目標利得との差分を求め、当該差分の利得に対応して各チャネルの減衰量を調整することを特徴とする請求項１に記載の光伝送装置。
【請求項３】
前記制御部は、
装置内部を光信号の経路に対応して複数のブロックに分割し、各ブロックの入出力間の前記チャネルの利得が一定となるように、前記波長選択スイッチの減衰量を調整することを特徴とする請求項１または２に記載の光伝送装置。
【請求項４】
前記光チャネルパワーモニタ部は、前記光信号を挿入、分岐または透過するブロックの経路上の前記光信号の各チャネルのパワーを検出し、
前記制御部は、前記光信号を挿入、分岐または透過するブロックの入出力間の前記チャネルの利得が一定となるように、前記波長選択スイッチの減衰量を調整することを特徴とする請求項３に記載の光伝送装置。
【請求項５】
前記光増幅器は、
それぞれの出力パワーが一定に制御されたプリアンプと、ポストアンプと、を含み、
前記波長選択スイッチは、前記プリアンプの後段に設けられるプリ波長選択スイッチと、前記ポストアンプの前段に設けられるポスト波長選択スイッチとを含み、
前記制御部は、
前記プリアンプの入出力端および前記ポストアンプの入出力端における各チャネルの入出力パワーに基づき、前記プリアンプまたは前記ポストアンプで生じた光信号のチャネル別の利得偏差を求め、装置に対する入出力間の前記各チャネルの利得が一定となるように前記プリ波長選択スイッチと前記ポスト波長選択スイッチの少なくともいずれかの減衰量を調整することを特徴とする請求項１〜４のいずれか一つに記載の光伝送装置。
【請求項６】
前記制御部は、
前記光チャネルパワーモニタ部で検出された前記波長多重信号の前記各チャネルのパワーに基づき、装置に対する入出力間の前記各チャネルの利得が一定となる前記各チャネルの光信号の変化量を算出し、前記波長選択スイッチの減衰量および前記光増幅器の利得を調整することを特徴とする請求項１に記載の光伝送装置。
【請求項７】
前記制御部は、
前記波長選択スイッチの減衰量と前記光増幅器の利得変化量の和が、前記光チャネルパワーモニタ部で検出した利得と所定の目標利得との差分となるように、前記波長選択スイッチの前記各チャネルの減衰量および前記光増幅器の利得を調整することを特徴とする請求項６に記載の光伝送装置。
【請求項８】
前記光増幅器は、プリアンプと、ポストアンプと、を含み、
前記波長選択スイッチは、前記プリアンプの後段に設けられるプリ波長選択スイッチと、前記ポストアンプの前段に設けられるポスト波長選択スイッチとを含み、
前記制御部は、
前記プリアンプの入出力端および前記ポストアンプの入出力端における前記各チャネルのパワーに基づき、前記プリアンプまたは前記ポストアンプで生じた前記各チャネル別の利得偏差を求めることを特徴とする請求項６または７に記載の光伝送装置。
【請求項９】
前記制御部は、
前記各チャネルの入出力のパワーに基づき、前記波長選択スイッチの減衰量と前記光増幅器の利得とを調整して前記各チャネルの装置の出力パワーが一定となる制御を行い、
前記各チャネルの装置の出力パワーが目標利得範囲に到達後、前記波長選択スイッチの減衰量と前記光増幅器の利得とを調整して前記各チャネルの装置入出力間の利得を一定にする制御を行うことを特徴とする請求項１〜８のいずれか一つに記載の光伝送装置。
【請求項１０】
入力される波長多重信号を光増幅する光増幅器と、前記波長多重信号の任意の波長の光信号を分岐、挿入または透過する波長選択スイッチと、入力される前記波長多重信号と、出力する前記波長多重信号の各チャネルのパワーを検出する光チャネルパワーモニタ部と、制御部とを備えた光伝送装置の光信号利得制御方法において、
前記制御部は、
前記光チャネルパワーモニタ部で検出された前記波長多重信号の各チャネルのパワーに基づき、装置に対する入出力間の前記各チャネルの利得が一定となる前記各チャネルの光信号の変化量を算出し、前記波長選択スイッチの減衰量を調整する、
ことを特徴とする光信号利得制御方法。
【発明の詳細な説明】
【技術分野】
【０００１】
本発明は、波長分割多重光信号を利得制御して伝送する光伝送装置および光信号利得制御方法に関する。
【背景技術】
【０００２】
大容量の光通信を実現するために、波長分割多重（ＷＤＭ：Ｗａｖｅｌｅｎｇｔｈ  Ｄｉｖｉｓｉｏｎ  Ｍｕｌｔｉｐｌｅｘｉｎｇ）による光信号の多重化が普及している。ＷＤＭ伝送システムにおいては、複数の波長チャネルが多重化されたＷＤＭ信号が伝送される。また、ＷＤＭ伝送システムの各ノードには、光伝送装置として、光分岐挿入装置（ＲＯＡＤＭ：Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）が設けられる。ＲＯＡＤＭは、ＷＤＭ信号から所望の波長チャネルの光信号を分岐し、ＷＤＭ信号の空チャネルに光信号を追加することができる。
【０００３】
ＲＯＡＤＭは、プリアンプ、プリおよびポストの波長選択スイッチ（ＷＳＳ：Ｗａｖｅｌｅｎｇｔｈ  Ｓｅｌｅｃｔｉｖｅ  Ｓｗｉｔｃｈ）、多重器（マルチプレクサ：ＭＵＸ）／逆多重器（デマルチプレクサ：ＤＭＵＸ）、複数のトランスポンダ、ポストアンプ等を含む。
【０００４】
ＲＯＡＤＭは、入力されたＷＤＭ信号が目標パワーになるように、アンプの出力パワーやＷＳＳの出力パワーを調整する。例えば、アンプの出力端でトータルパワーをＰＤ（Ｐｈｏｔｏ  Ｄｅｔｅｃｔｏｒ）でモニタし、目標パワーになるようにアンプの出力パワーを常時フィードバック制御する。また、ＷＳＳの出力端で各波長のパワーをＯＣＭ（Ｏｐｔｉｃａｌ  Ｃｈａｎｎｅｌ  Ｍｏｎｉｔｏｒ）でモニタし、目標パワーになるようにＷＳＳの減衰量を常時フィードバック制御する。
【０００５】
従来、光クロスコネクト装置から出力される信号パワーを一定に制御する技術が開示されている（例えば、下記特許文献１参照。）。また、ＯＣＭを用いて波長多重フィルタの波長透過特性のずれを検出する技術が開示されている（例えば、下記特許文献２参照。）。
【先行技術文献】
【特許文献】
【０００６】
【特許文献１】特開２０１１−２５４３０９号公報
【特許文献２】特開２０１４−００７５６４号公報
【発明の概要】
【発明が解決しようとする課題】
【０００７】
近年、光伝送装置の他社相互接続が提案されている。光伝送装置を自社装置と異なる他社装置と相互接続する場合、ＯＳＣ（Ｏｐｔｉｃａｌ  Ｓｕｐｅｒｖｉｓｏｒｙ  Ｃｈａｎｎｅｌ）のフォーマットや情報の中身が各社で異なるため、制御情報の転送に制約がある。このため、自社同士の接続の場合にＯＳＣ経由で取得していた隣接装置の制御情報、例えば、波長数、波長配置、ＷＳＳ入出力ＣＨパワー、ＷＳＳ  ＡＴＴ（Ａｔｔｅｎｕａｔｉｏｎ）が他社装置から取得できない。
【０００８】
このような場合に、従来の出力パワー一定制御をすると、例えば、波長数変動が発生した場合に、各装置が同時に出力パワー制御を実施すると、大きなオーバーシュート、アンダーシュートが発生し機器を破壊する恐れがある。これを防止するために、装置の利得を一定に制御する方法が考えられる。しかしながら、利得一定の制御の場合、装置入出力はＰＤによるトータルパワーモニタしか取得できない。光増幅器は、利得が波長依存性を有する。このため、ＣＨ毎の利得を正しくモニタできず、利得一定の制御を精度良く実施することができなかった。
【０００９】
このように、光伝送装置を他社相互接続した場合等には、ＲＯＡＤＭ等の光伝送装置は、入出力間の利得を正しくモニタできず、実際には目標利得に到達していないにも関わらず、目標利得に到達していると誤認識してしまう。このようなＲＯＡＤＭが多段接続されたＷＤＭ伝送システムでは、各ＲＯＡＤＭでのパワー偏差が累積し、信号品質が劣化してしまう。
【００１０】
一つの側面では、本発明は、光信号の各チャネルの利得を簡単に一定に制御できることを目的とする。
【課題を解決するための手段】
【００１１】
一つの案では、光伝送装置は、入力される波長多重信号を光増幅する光増幅器と、前記波長多重信号の任意の波長の光信号を分岐、挿入または透過する波長選択スイッチと、入力される前記波長多重信号と、出力する前記波長多重信号の各チャネルのパワーを検出する光チャネルパワーモニタ部と、前記光チャネルパワーモニタ部で検出された前記波長多重信号の各チャネルのパワーに基づき、装置に対する入出力間の前記各チャネルの利得が一定となる前記各チャネルの光信号の変化量を算出し、前記波長選択スイッチの減衰量を調整する制御部と、を有することを要件とする。
【発明の効果】
【００１２】
一つの実施形態によれば、光信号の各チャネルの利得を簡単に一定に制御できるという効果を奏する。
【図面の簡単な説明】
【００１３】
【図１】図１は、光伝送装置の一般的な構成例を示す図である。
【図２】図２は、実施の形態にかかる光伝送装置の構成例を示す図である。
【図３】図３は、実施の形態にかかる光伝送装置のデータ処理にかかるハードウェア構成例を示す図である。
【図４】図４は、実施の形態にかかる光伝送装置による光信号利得制御の一例を示すフローチャートである。
【図５】図５は、実施の形態にかかる光伝送装置の配置構成例を示す図である。（その１）
【図６】図６は、実施の形態にかかる光伝送装置の配置構成例を示す図である。（その２）
【図７】図７は、実施の形態にかかるチャネルパワーの検出の構成例を示す図である。
【図８】図８は、図７に示したＭＵＸ／ＤＭＵＸの内部構成例を示す図である。
【図９】図９は、実施の形態にかかる光伝送装置による光信号利得制御の他の一例を示すフローチャートである。
【図１０】図１０は、実施の形態にかかる光伝送装置の多段構成でＣＨ追加時の利得制御の適用例を説明する図である。
【図１１】図１１は、従来の光伝送装置の構成例を示す図である。
【図１２】図１２は、従来の光伝送装置のプリアンプで利得偏差が発生した場合の状態を説明する図である。
【図１３Ａ】図１３Ａは、実施の形態の光伝送装置のプリアンプで利得偏差が発生した場合の状態を説明する図である。（その１）
【図１３Ｂ】図１３Ｂは、実施の形態の光伝送装置のプリアンプで利得偏差が発生した場合の状態を説明する図である。（その２）
【図１４】図１４は、従来の光伝送装置のポストアンプで利得偏差が発生した場合の状態を説明する図である。
【図１５Ａ】図１５Ａは、実施の形態の光伝送装置のポストアンプで利得偏差が発生した場合の状態を説明する図である。（その１）
【図１５Ｂ】図１５Ｂは、実施の形態の光伝送装置のポストアンプで利得偏差が発生した場合の状態を説明する図である。（その２）
【図１６】図１６は、従来技術による光伝送装置の他社相互接続状態を説明する図である。
【発明を実施するための形態】
【００１４】
（実施の形態）
図１は、光伝送装置の一般的な構成例を示す図である。図１に示す光伝送装置１００は、ＲＯＡＤＭの構成例であり、異なる方路（ＷＥＳＴ方路とＥＡＳＴ方路）からのＷＤＭ信号がそれぞれ入力される。
【００１５】
ＲＯＡＤＭ１００は、波長選択スイッチ（ＷＳＳ）１０１Ｗと１０１Ｅ、多重器（ＭＵＸ）／逆多重器（ＤＭＵＸ）１０２Ｗ，１０２Ｅ、複数のトランスポンダ（Ｔ）１０３を含む。波長選択スイッチ１０１Ｗは、ＷＥＳＴ方路から入力されるＷＤＭ信号およびＷＥＳＴ方路へ出力されるＷＤＭ信号を処理する。同様に、波長選択スイッチ１０１Ｅは、ＥＡＳＴ方路から入力されるＷＤＭ信号およびＥＡＳＴ方路へ出力されるＷＤＭ信号を処理する。
【００１６】
これら波長選択スイッチ１０１Ｗ、１０１Ｅは、互いに接続され光信号の透過（スルー：ＴＨＲＵ）パス（経路）を形成する。このほか、波長選択スイッチ１０１Ｗは光信号を分岐（ＤＲＯＰ）するパスを有し、波長選択スイッチ１０１Ｅは光信号を挿入（ＡＤＤ）するパスを有する。
【００１７】
ＭＵＸ／ＤＭＵＸ１０２Ｗは、ＷＥＳＴ方路から入力されるＷＤＭ信号を波長チャネル毎に分離して対応するトランスポンダ１０３へ導き出力する。また、ＭＵＸ／ＤＭＵＸ１０２Ｗは、ＷＥＳＴ方路へ出力すべき光信号を多重化して波長選択スイッチ１０１Ｗへ導く。同様に、ＭＵＸ／ＤＭＵＸ１０２Ｅは、ＥＡＳＴ方路から入力されるＷＤＭ信号を波長チャネル毎に分離して対応するトランスポンダ１０３へ導く。また、ＭＵＸ／ＤＭＵＸ１０２Ｅは、ＥＡＳＴ方路へ出力すべき光信号を多重化して波長選択スイッチ１０１Ｅへ導き出力する。
【００１８】
図２は、実施の形態にかかる光伝送装置の構成例を示す図である。図２には、図１に示した光伝送装置（ＲＯＡＤＭ）１００の一方の方路（例えばＷＥＳＴ方路）から入力されるＷＤＭ信号の信号処理にかかる構成を示す。
【００１９】
ＲＯＡＤＭ１００は、ＷＤＭ信号の方路に沿って、順次、光増幅器（プリアンプ：Ｐｒｅ−ＡＭＰ）２０１、プリＷＳＳ（Ｐｒｅ−ＷＳＳ）２０２、ポストＷＳＳ（Ｐｏｓｔ−ＷＳＳ）２０３、光増幅器（ポストアンプ：Ｐｏｓｔ−ＡＭＰ）２０４が設けられる。プリＷＳＳ２０２は図１の１０１Ｗに相当し、ポストＷＳＳ２０３は図１の１０１Ｅに相当する。
【００２０】
プリアンプ２０１の前段に設けられる光スプリッタ２０５ａは、ＷＤＭ信号を光分岐して光パワーモニタ部（ＰＤ）２０６ａと、光チャネル（ＣＨ）パワーモニタ部（ＯＣＭ：Ｏｐｔｉｃａｌ  Ｃｈａｎｎｅｌ  ｍｏｎｉｔｏｒ）２０９に出力する。プリアンプ２０１の後段に設けられる光スプリッタ２０５ｂは、ＷＤＭ信号を光分岐して光パワーモニタ部（ＰＤ）２０６ｂに出力する。
【００２１】
光パワーモニタ部（ＰＤ）２０６ａ，２０６ｂは、検出した光信号の強度（パワー）をアンプ（ＡＭＰ）制御部２０７に出力する。アンプ制御部２０７は、光パワーモニタ部（ＰＤ）２０６ａ，２０６ｂで検出した光信号の強度に基づき、プリアンプ２０１の出力パワーを調整する。
【００２２】
プリＷＳＳ２０２の前段、ポストＷＳＳ２０３の後段、プリＷＳＳ２０２とポストＷＳＳ２０３の間には、それぞれ光スプリッタ２０８ａ，２０８ｂ，２０８ｃが設けられ、それぞれ光信号を分岐して光ＣＨパワーモニタ部（ＯＣＭ）２０９に出力する。
【００２３】
ポストアンプ２０４の前段に設けられる光スプリッタ２１３ａは、ＷＤＭ信号を光分岐して光パワーモニタ部（ＰＤ）２１４ａに出力する。ポストアンプ２０４の後段に設けられる光スプリッタ２１３ｂは、ＷＤＭ信号を光分岐して光パワーモニタ部（ＰＤ）２１４ｂと、光ＣＨパワーモニタ部（ＯＣＭ）２０９に出力する。
【００２４】
光パワーモニタ部（ＰＤ）２１４ａ，２１４ｂは、検出した光信号の強度（パワー）をアンプ（ＡＭＰ）制御部２１５に出力する。アンプ制御部２１５は、光パワーモニタ部（ＰＤ）２１４ａ，２１４ｂで検出した光信号の強度に基づき、ポストアンプ２０４の出力パワーを調整する。
【００２５】
光ＣＨパワーモニタ部（ＯＣＭ）２０９は、光スプリッタ２０８ａ〜２０８ｃにより分岐されたプリＷＳＳ２０２およびポストＷＳＳ２０３の各入出力端の各波長（各ＣＨ）の光信号が入力される。実施の形態では、さらに、光ＣＨパワーモニタ部（ＯＣＭ）２０９には、光スプリッタ２０５ａ，２１３ｂにより分岐された光信号（ＷＤＭ信号）が入力される。そして、光ＣＨパワーモニタ部（ＯＣＭ）２０９は、入力された各部の各波長（各ＣＨ）のパワーを検出し、データ処理部２１０に出力する。
【００２６】
データ処理部２１０は、光ＣＨパワーモニタ部（ＯＣＭ）２０９で検出された、各波長の光信号の強度（パワー）が目標パワーになるように、ＷＳＳ制御部２１１を介してプリＷＳＳ２０２およびポストＷＳＳ２０３の減衰量を常時フィードバック制御する。例えば、光ＣＨパワーモニタ部（ＯＣＭ）２０９は、ＲＯＡＤＭ１００に対し、入出力するＷＤＭ信号のＣＨ利得が一定になるように、プリＷＳＳ２０２およびポストＷＳＳ２０３のアッテネータ（ＡＴＴ）を制御する。
【００２７】
図３は、実施の形態にかかる光伝送装置のデータ処理にかかるハードウェア構成例を示す図である。主に図２に示すデータ処理部２１０の構成例を示す。図３において、データ処理部２１０は、演算処理部（ＣＰＵ：Ｃｅｎｔｒａｌ  Ｐｒｏｃｅｓｓｉｎｇ  Ｕｎｉｔ）３０１と、記憶部３０２と、入出力インタフェース（Ｉ／Ｆ）３０３と、を有する。ＣＰＵ３０１〜入出力インタフェース３０３は、バス３０４によってそれぞれ接続される。
【００２８】
ＣＰＵ３０１は、データ処理部２１０の全体の制御を司るプロセッサである。記憶部３０２は、主記憶部３１２と、補助記憶部３１３とを含む。主記憶部３１２は、ＣＰＵ３０１のワークエリアとして使用される揮発性メモリである。揮発性メモリは、例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等がある。補助記憶部３１３は、主記憶部３１２を補助する記憶装置である。例えば、補助記憶部３１３は、ＨＤＤ（Ｈａｒｄ  Ｄｉｓｋ  Ｄｒｉｖｅ）や、ＳＳＤ（Ｓｏｌｉｄ  Ｓｔａｔｅ  Ｄｒｉｖｅ）である。また、補助記憶部３１３として、半導体素子によって形成された半導体メモリ、例えば、ＵＳＢ（Ｕｎｉｖｅｒｓａｌ  Ｓｅｒｉａｌ  Ｂｕｓ）フラッシュドライブを用いてもよい。
【００２９】
入出力Ｉ／Ｆ３０３は、データ処理部２１０に対するデータの入出力を行う。例えば、図２に記載の光ＣＨパワーモニタ部（ＯＣＭ）２０９から入力される光信号の強度（パワー）をＡ／Ｄ変換して取り込む。また、ＷＳＳ制御部２１１に対する制御信号をＤ／Ａ変換して出力する。
【００３０】
記憶部３０２に記憶されたプログラムをＣＰＵ３０１が実行することにより、データ処理部２１０の機能を実現する。このほか、図３に示したＣＰＵ３０１を含む構成は、ＲＯＡＤＭ１００の他の機能部、例えば、ＲＯＡＤＭ１００全体を統括制御するほか、図２に記載したアンプ制御部２０７，２１５の機能を実行してもよい。
【００３１】
図４は、実施の形態にかかる光伝送装置による光信号利得制御の一例を示すフローチャートである。上述したデータ処理部２１０のＣＰＵ３０１が周期的に実行する処理例を示す。
【００３２】
データ処理部２１０は、ＲＯＡＤＭ１００の利得一定制御を開始し（ステップＳ４０１）、ＲＯＡＤＭ１００の入出力間（図２に示した箇所（Ａ）−（Ｅ）間）の目標利得を確定する（ステップＳ４０２）。この際、データ処理部２１０は、装置の入出力間であるプリアンプ２０１〜ポストアンプ２０４における目標利得を確定する。
【００３３】
つぎに、データ処理部２１０は、光ＣＨパワーモニタ部（ＯＣＭ）２０９が検出した箇所（Ａ）−（Ｅ）間のＣＨパワーを取得し（ステップＳ４０３）、この箇所（Ａ）−（Ｅ）間のＣＨ利得を算出する（ステップＳ４０４）。この際、光ＣＨパワーモニタ部（ＯＣＭ）２０９は、箇所（Ａ）−（Ｅ）間の各モニタ点（Ａ），（Ｂ），（Ｃ），（Ｄ），（Ｅ）のＣＨパワーを取得してもよい。
【００３４】
つぎに、データ処理部２１０は、ステップＳ４０４で算出したＣＨ利得が、目標利得の許容範囲内であるか否かを判定する（ステップＳ４０５）。ＣＨ利得が目標利得の許容範囲内であれば（ステップＳ４０５：Ｙｅｓ）、以上の処理を終了する。
【００３５】
一方、ＣＨ利得が目標利得の許容範囲を超えている場合は（ステップＳ４０５：Ｎｏ）、目標利得の許容範囲内になるように、プリＷＳＳ２０２と、ポストＷＳＳ２０３のアッテネータ（ＡＴＴ）の変化量（ＡＴＴ補正量）を算出する（ステップＳ４０６）。
【００３６】
ここで、プリＷＳＳ２０２と、ポストＷＳＳ２０３のＡＴＴ補正量は、下記式（１）に基づき、
プリＷＳＳ２０２のＡＴＴ変化量＋ポストＷＳＳ２０３のＡＴＴ変化量＝モニタ利得−目標利得  …（１）
となるように設定する。
【００３７】
例えば、目標利得が１０ｄＢ、モニタ利得が１２ｄＢの場合、プリＷＳＳ２０２／ポストＷＳＳ２０３のＡＴＴのトータル変化量は、例えば、０ｄＢ／２ｄＢ、１ｄＢ／１ｄＢ、または２ｄＢ／０ｄＢ、のいずれかとなる。
【００３８】
そして、データ処理部２１０は、ＷＳＳ制御部２１１に、上記いずれかの組み合わせのうち決定したプリＷＳＳ２０２とポストＷＳＳ２０３のＡＴＴ補正量を出力する。これにより、ＷＳＳ制御部２１１は、ＡＴＴ補正量に基づき、プリＷＳＳ２０２のＡＴＴ調整を行い（ステップＳ４０７）、ポストＷＳＳ２０３のＡＴＴ調整を行う（ステップＳ４０８）。この後、データ処理部２１０は、ステップＳ４０３の処理に戻る。
【００３９】
上記処理例では、プリＷＳＳ２０２のＡＴＴ調整後にポストＷＳＳ２０３のＡＴＴ調整を行う順番としたが、逆でも構わない。さらには、プリＷＳＳ２０２とポストＷＳＳ２０３のＡＴＴを同時に変化させても構わない。
【００４０】
また、プリＷＳＳ２０２の代わりに光カップラー（ＣＰＬ）を用いてＲＯＡＤＭ１００を構成してもよく、この場合、ポストＷＳＳ２０３に対するＡＴＴ調整のみでＣＨ利得を調整する。
【００４１】
さらには、ＷＳＳ２０２、２０３のアッテネータを大きく変化させると、光パワー変動が大きくなるため、一度で変化させるＡＴＴ量を小さく設定して、徐々に利得を変化させる制御を行ってもよい。また、上記処理では、箇所（Ａ）−（Ｅ）間の利得を一定としたが、箇所（Ａ）−（Ｃ）間や、箇所（Ｃ）−（Ｅ）間のそれぞれで利得一定制御を行ってもよい。例えば、箇所（Ａ）−（Ｃ）間の場合、箇所（Ａ）と箇所（Ｃ）のＣＨパワーを光ＣＨパワーモニタ部（ＯＣＭ）２０９で検出し、箇所（Ａ）−（Ｃ）間のＣＨ利得が一定となるように、プリＷＳＳ２０２のＡＴＴ量を補正する。
【００４２】
図５，図６は、実施の形態にかかる光伝送装置の配置構成例を示す図である。実施の形態にかかるＲＯＡＤＭ１００は、内部に複数のカードを挿抜可能としてユニット化することができる。
【００４３】
図５は、主に光信号（ＷＤＭ信号）の各パスを示す。ＷＥＳＴ方路からの光信号の入力に対するプリアンプ２０１とプリＷＳＳ２０２と、ＷＥＳＴ方路に対する光信号の出力に対するポストＷＳＳ２０３とポストアンプ２０４と、を１枚のカード５０１に設ける。同様に、ＥＡＳＴ方路からの光信号の入力に対するプリアンプ２０１とプリＷＳＳ２０２と、ＥＡＳＴ方路に対する光信号の出力に対するポストＷＳＳ２０３とポストアンプ２０４と、を１枚のカード５０２に設ける。
【００４４】
そして、カード５０１，５０２間でプリＷＳＳ２０２と、ポストＷＳＳ２０３の光信号をスルー（ＴＨＲＵ）パス接続する。また、カード５０１側のプリＷＳＳ２０２とＭＵＸ／ＤＭＵＸ１０２Ｗとを接続し、複数のトランスポンダ１０３に対する分岐（ＤＲＯＰ）／挿入（ＡＤＤ）パスを形成する。同様に、カード５０２側のプリＷＳＳ２０２とＭＵＸ／ＤＭＵＸ１０２Ｅとを接続し、複数のトランスポンダ１０３に対する分岐（ＤＲＯＰ）／挿入（ＡＤＤ）パスを形成する。
【００４５】
このように、ＲＯＡＤＭ１００内部にプリ側とポスト側で別のカード５０１，５０２を配置し、これらカード５０１，５０２を接続する構成とすることができる。
【００４６】
図６は、図５の詳細構成例を示し、主に、図２に示した利得制御にかかる各機能にかかる構成を２枚のカード５０１，５０２上に配置した構成例を示す。各カード５０１，５０２には、それぞれカード間情報送受信部６０１，６０２を設け、各カード５０１，５０２のデータ処理部２１０は、カード間情報送受信部６０１，６０２を介して制御情報やモニタ情報を互いに送受信する。
【００４７】
そして、各カード５０１，５０２は、それぞれ光ＣＨパワーモニタ部（ＯＣＭ）２０９が検出したＣＨパワーに基づき、データ処理部２１０がＣＨ利得の制御を行い、対応するＷＳＳ２０２，２０３に対するＡＴＴ量を制御する。これにより、ＲＯＡＤＭ１００のＡＤＤパスおよびＤＲＯＰパスに対しても、利得一定の制御が行えるようになる。
【００４８】
図７は、実施の形態にかかるチャネルパワーの検出の構成例を示す図である。図５に示したカード５０１，５０２を設けた構成例におけるＣＨパワーは、ＭＵＸ／ＤＭＵＸ１０２Ｗ，１０２Ｅの入出力ポート部分で光ＣＨパワーモニタ部（ＯＣＭ）２０９により各ＣＨのパワーを検出できる。
【００４９】
例えば、ＷＥＳＴ方路からの光信号のＤＲＯＰパスについては、光スプリッタ２０５ａ（図２の箇所（Ａ））で分岐した光信号と、ＭＵＸ／ＤＭＵＸ１０２Ｗの光信号のＤＲＯＰポート部分と、をカード５０１の光ＣＨパワーモニタ部（ＯＣＭ）２０９で検出する。また、ＥＡＳＴ方路への光信号のＡＤＤパスについては、光スプリッタ２１３ｂ（図２の箇所（Ｅ））で分岐した光信号と、ＭＵＸ／ＤＭＵＸ１０２Ｅの光信号のＡＤＤポート部分と、をカード５０２の光ＣＨパワーモニタ部（ＯＣＭ）２０９で検出する。
【００５０】
図８は、図７に示したＭＵＸ／ＤＭＵＸの内部構成例を示す図である。ＭＵＸ／ＤＭＵＸ１０２Ｗ（１０２Ｅ）は、それぞれ内部にＤＲＯＰする光信号のＤＭＵＸ（逆多重器）８０１と、ＡＤＤする光信号のＭＵＸ（多重器）８０２を有する。
【００５１】
ＤＭＵＸ８０１の前段（ＡＭＰ／ＷＳＳ５０１側）には、光スプリッタ８０３ａが設けられ、ＤＭＵＸ８０１の後段（トランスポンダ１０３側）には、複数のポートにそれぞれ光スプリッタ８０４（８０４−１〜８０４−ｎ）を設ける。ＭＵＸ８０２の前段（トランスポンダ１０３側）には、複数のポートにそれぞれ光スプリッタ８０５（８０５−１〜８０５−ｎ）を設け、ＭＵＸ８０２の後段（ＡＭＰ／ＷＳＳ５０１側）には、光スプリッタ８０３ｂが設けられる。
【００５２】
これら各光スプリッタ８０３ａ，８０３ｂ，８０４，８０５で分岐された光信号は光ＣＨパワーモニタ部２０９でＣＨパワーが検出される。光ＣＨパワーモニタ部２０９による光ＣＨパワーの検出は、下記１．〜３．のいずれかにより行うことができる。
１．ＭＵＸ／ＤＭＵＸ１０２Ｗ（１０２Ｅ）のトランスポンダ１０３側の複数の各ポートのＣＨパワーを検出する。
２．ＭＵＸ／ＤＭＵＸ１０２Ｗ（１０２Ｅ）のＡＭＰ／ＷＳＳ５０１側の各ポートのＣＨパワーを検出する。
３．上記１．と２．を組み合わせてＣＨパワーを検出する。
【００５３】
上述した説明では、ＲＯＡＤＭ１００の利得をＷＳＳ２０２，２０３のＡＴＴ変化により調整することとした。これに限らず、ＷＳＳ２０２，２０３によるＡＴＴと、光増幅器２０１，２０４の利得変化の両方でＲＯＡＤＭ１００の利得を調整してもよい。
【００５４】
ＷＳＳ２０２，２０３によるＡＴＴと、光増幅器２０１，２０４の利得調整を行う場合、ＷＳＳ２０２，２０３は、チャネル毎に異なるＡＴＴ量に設定できるが、光増幅器２０１，２０４はチャネル単位ではなく全チャネルの一括での利得設定となる。
【００５５】
この場合、ＷＳＳ２０２，２０３のＡＴＴ変化量と、光増幅器２０１，２０４の利得変化量は下記式（２）に基づき、
ＷＳＳ２０２，２０３のＡＴＴ変化量＋光増幅器２０１，２０４の利得変化量＝モニタ利得−目標利得  …（２）
となるように調整する。
【００５６】
図９は、実施の形態にかかる光伝送装置による光信号利得制御の他の一例を示すフローチャートである。上述したＷＳＳ２０２，２０３によるＡＴＴと、光増幅器２０１，２０４の利得調整をデータ処理部２１０のＣＰＵ３０１が周期的に実行する処理例を示す。
【００５７】
データ処理部２１０は、ＲＯＡＤＭ１００の利得一定制御を開始し（ステップＳ９０１）、ＲＯＡＤＭ１００の入出力間（図２に示した箇所（Ａ）−（Ｅ）間）の目標利得を確定する（ステップＳ９０２）。この際、データ処理部２１０は、プリアンプ２０１、ポストアンプ２０４、プリＷＳＳ２０２およびポストＷＳＳ２０３の利得を確定する。
【００５８】
つぎに、データ処理部２１０は、光ＣＨパワーモニタ部（ＯＣＭ）２０９が検出した箇所（Ａ）−（Ｅ）間のＣＨパワーを取得し（ステップＳ９０３）、この箇所（Ａ）−（Ｅ）間のＣＨ利得を算出する（ステップＳ９０４）。この際、光ＣＨパワーモニタ部（ＯＣＭ）２０９は、箇所（Ａ）−（Ｅ）間の各モニタ点（Ａ），（Ｂ），（Ｃ），（Ｄ），（Ｅ）のＣＨパワーを取得してもよい。
【００５９】
つぎに、データ処理部２１０は、ステップＳ９０４で算出したＣＨ利得が、目標利得の許容範囲内であるか否かを判定する（ステップＳ９０５）。ＣＨ利得が目標利得の許容範囲内であれば（ステップＳ９０５：Ｙｅｓ）、以上の処理を終了する。
【００６０】
一方、ＣＨ利得が目標利得の許容範囲を超えている場合は（ステップＳ９０５：Ｎｏ）、目標利得の許容範囲内になる利得補正量を算出する（ステップＳ９０６）。この際、プリアンプ２０１と、ポストアンプ２０４の利得変化量と、プリＷＳＳ２０２と、ポストＷＳＳ２０３のアッテネータ（ＡＴＴ）の変化量（ＡＴＴ補正量）を算出する。
【００６１】
この際、プリアンプ２０１と、ポストアンプ２０４の利得変化量と、プリＷＳＳ２０２と、ポストＷＳＳ２０３のアッテネータ（ＡＴＴ）の変化量（ＡＴＴ補正量）は、上記式（２）に基づき算出する。すなわち、プリアンプ２０１と、ポストアンプ２０４と、プリＷＳＳ２０２と、ポストＷＳＳ２０３とで利得調整分の所定の分配を行う。例えば、目標利得が１０ｄＢ、モニタ利得が１２ｄＢの場合、差分の２ｄＢをプリアンプ２０１と、ポストアンプ２０４と、プリＷＳＳ２０２と、ポストＷＳＳ２０３とで分配する。
【００６２】
そして、データ処理部２１０は、ＷＳＳ制御部２１１に、上記いずれかの組み合わせで決定したプリアンプ２０１とポストアンプ２０４の利得補正を実施する（ステップＳ９０７，ステップＳ９０８）。また、プリＷＳＳ２０２とポストＷＳＳ２０３のＡＴＴ補正を実施する（ステップＳ９０９，ステップＳ９１０）。この後、データ処理部２１０は、ステップＳ９０３の処理に戻る。
【００６３】
（多段のＲＯＡＤＭでのＣＨ追加時の利得制御の適用例）
図１０は、実施の形態にかかる光伝送装置の多段構成でＣＨ追加時の利得制御の適用例を説明する図である。図１０には、上述したＲＯＡＤＭ１００が４台多段接続され、ＣＨ１運用後にＣＨ２が追加された例を示す。
【００６４】
図１０（ａ）に示すように、当初ＣＨ１がＲＯＡＤＭ１〜ＲＯＡＤＭ３（１００）のパスで運用されているとする。この場合、ＣＨ１のパス上のＲＯＡＤＭ１〜ＲＯＡＤＭ３（１００）は、それぞれ出力パワー一定制御で立ち上げた後、上述した利得一定制御（図４参照）に遷移する。
【００６５】
つぎに、図１０（ｂ）に示すように、ＣＨ２がＲＯＡＤＭ１〜ＲＯＡＤＭ４（１００）のパスで追加されたとする。この場合、ＣＨ１で運用しているＲＯＡＤＭ１〜ＲＯＡＤＭ３（１００）は、ＣＨ１について利得一定制御を継続して行い、追加されたＣＨ２については、出力パワー一定制御で立ち上げた後、上述した利得一定制御（図４参照）に遷移する。なお、ＲＯＡＤＭ４（１００）についても、追加されたＣＨ２については、出力パワー一定制御で立ち上げた後、上述した利得一定制御（図４参照）に遷移する。
【００６６】
このように、ＲＯＡＤＭ１００の出力パワー一定制御で立ち上げて、ＲＯＡＤＭ１００の出力チャネルのパワーが目標範囲に到達後、利得一定制御に切替えてもよい。ＲＯＡＤＭ１００は、ＣＨ１運用中にＣＨ２を追加する場合、ＣＨ１は利得一定制御で運用したままで、ＣＨ２を出力パワー一定制御で立ち上げて利得一定制御に切替える。この際、ＣＨ２の追加により、アンプ２０１，２０４の利得波長特性が変化し、ＣＨ１の利得変化が発生する可能性があるが、上記遷移により、ＣＨ１の利得についても一定に保持することができる。
【００６７】
（従来技術と実施の形態との比較）
以下、従来技術と上述した実施の形態との比較を行う。図１１は、従来の光伝送装置（ＲＯＡＤＭ）の構成例を示す図である。図１１に示す従来のＲＯＡＤＭ１１００は、実施の形態（図２参照）と同様にプリアンプ１１０１、ポストアンプ１１０４、プリＷＳＳ１１０２、ポストＷＳＳ１１０３、等の各構成部を有している。図１１の各構成部の符号は実施の形態（図２参照）の各構成部の符号に対応する番号で付してある。
【００６８】
従来技術では、図１１に示すように、光ＣＨパワーモニタ部（ＯＣＭ）１１０９は、ＷＳＳ１１０２，１１０３の入出力端の光信号しか検出していない（箇所（Ｂ）〜（Ｃ））。すなわち、従来技術の光ＣＨパワーモニタ部（ＯＣＭ）１１０９は、実施の形態の箇所（Ａ），（Ｂ）の光信号を検出していない点が相違する。
【００６９】
図１２は、従来の光伝送装置のプリアンプで利得偏差が発生した場合の状態を説明する図である。プリアンプ１１０１で利得偏差が発生した場合、図１２（ａ）に示す各箇所（Ａ）〜（Ｅ）でのＣＨパワー（縦軸はＣＨ間の相対パワー）、図１２（ｂ）に示すＣＨ利得（縦軸はＣＨ間の相対利得）となる。
【００７０】
プリアンプ１１０１で利得偏差が発生したとする。この場合、図１２（ａ）「実際のＣＨパワー」は、ＲＯＡＤＭ１１００入力の箇所（Ａ）でＣＨ１，ＣＨｎが同一であったとしても、プリアンプ１１０１出力後のプリＷＳＳ１１０２の箇所（Ｂ）ではＣＨ１，ＣＨｎで相対パワーが異なる。
【００７１】
このため、図１２（ａ）「実際のＣＨパワー」は箇所（Ｂ）〜（Ｅ）でＣＨ１とＣＨｎでＣＨパワーが異なり、また、「装置モニタによるＣＨパワー」も箇所（Ｂ）〜（Ｅ）でＣＨパワーが異なることとなる。
【００７２】
ここで、従来技術では、図１２（ｂ）「実際のＣＨ利得」でＣＨ１、ＣＨｎで相対利得が異なるが、「装置モニタによるＣＨ利得」では、ＲＯＡＤＭ１１００の箇所（Ａ）−（Ｂ）間で生じたＣＨ利得偏差を正しく検出することができない。箇所（Ａ）−（Ｂ）間の「装置モニタ」は、図１１に示す光パワーモニタ部（ＰＤ）１１０６ａ，１１０６ｂがＣＨ１とＣＨｎを分けずにトータルパワーを検出する。このため、アンプ制御部１１０７は、ＣＨ１とＣＨｎのＣＨ利得偏差を正しく検出できない（符号１２０１部分）。
【００７３】
なお、図１２（ｂ）「実際のＣＨ利得」は、ポストアンプ１１０４に対応する箇所（Ｄ）−（Ｅ）間で同じであったとする。しかし、箇所（Ａ）−（Ｅ）間で見ると、実際にはＣＨ利得が目標利得（点線）からずれているが、「装置モニタによるＣＨ利得」では、このずれを検出できない（符号１２０２部分）。このため、ＲＯＡＤＭ１１００が出力する「実際のＣＨ利得」として、ＣＨ１が過大出力となり、ＣＨｎが出力不足となることがあった。
【００７４】
図１３Ａ，図１３Ｂは、実施の形態の光伝送装置のプリアンプで利得偏差が発生した場合の状態を説明する図である。図１３ＡはＣＨ利得補正前、図１３ＢはＣＨ利得補正後の状態を示す。
【００７５】
実施の形態によれば、図１３ＡのＣＨ利得補正前の状態において、図１３Ａ（ｂ）「装置モニタによるＣＨ利得」で箇所（Ａ）−（Ｂ）間のプリアンプ２０１で発生したＣＨ利得偏差を正しく検出できる（符号１３０１部分）。箇所（Ａ）−（Ｂ）間の「装置モニタ」は、図２に示す光ＣＨパワーモニタ部（ＯＣＭ）２０９によって、ＣＨ１とＣＨｎをＣＨ別に検出できる。これにより、ＲＯＡＤＭ１００の箇所（Ａ）−（Ｅ）間の「装置モニタによるＣＨ利得」は、ＣＨ１とＣＨｎが目標利得（点線）からずれていることを検出できる（符号１３０２部分）。
【００７６】
この後、実施の形態では、図１３ＢのＣＨ利得補正後の状態において、図１３Ｂ（ａ）の箇所（Ｃ）のプリＷＳＳ２０２のＡＴＴで利得補正を行う（符号１３０３部分）。これにより、図１３Ｂ（ｂ）の箇所（Ａ）−（Ｅ）では「実際のＣＨ利得」として、ＣＨ１とＣＨｎを目標利得（点線）に一致させることができる。そして、ＲＯＡＤＭ１１００が出力する「実際のＣＨ利得」として、ＣＨ１とＣＨｎの相対利得を同じ状態にして出力できる（符号１３０４部分）。
【００７７】
図１４は、従来の光伝送装置のポストアンプで利得偏差が発生した場合の状態を説明する図である。ポストアンプ１１０４で利得偏差が発生した場合、図１４（ａ）に示す各箇所（Ａ）〜（Ｅ）でのＣＨパワー（縦軸はＣＨ間の相対パワー）、図１４（ｂ）に示すＣＨ利得（縦軸はＣＨ間の相対利得）となる。
【００７８】
ポストアンプ１１０４で利得偏差が発生したとする。この場合、図１４（ａ）「実際のＣＨパワー」は、ＲＯＡＤＭ１００入力の箇所（Ａ）〜箇所（Ｄ）でＣＨ１，ＣＨｎが同一であったとしても、ポストアンプ１１０４出力後の箇所（Ｅ）ではＣＨ１，ＣＨｎで相対パワーが異なる。
【００７９】
ここで、従来技術では、図１４（ｂ）「実際のＣＨ利得」でＣＨ１、ＣＨｎで相対利得が異なるが、「装置モニタによるＣＨ利得」では、ＲＯＡＤＭ１１００の箇所（Ｄ）−（Ｅ）間で生じたＣＨ利得偏差を正しく検出することができない。箇所（Ｄ）−（Ｅ）間の「装置モニタ」は、図１１に示す光パワーモニタ部（ＰＤ）１１１４ａ，１１１４ｂがＣＨ１とＣＨｎを分けずにトータルパワーを検出する。このため、アンプ制御部１１０７は、ＣＨ１とＣＨｎのＣＨ利得偏差を正しく検出できない（符号１４０１部分）。
【００８０】
なお、図１４（ｂ）「実際のＣＨ利得」は、プリアンプ１１０１に対応する箇所（Ａ）−（Ｂ）間で同じであったとする。しかし、箇所（Ａ）−（Ｅ）間で見ると、実際にはＣＨ利得が目標利得（点線）からずれているが、「装置モニタによるＣＨ利得」では、このずれを検出できない（符号１４０２部分）。このため、ＲＯＡＤＭ１１００が出力する「実際のＣＨ利得」として、ＣＨ１が出力不足となり、ＣＨｎが過大出力となることがあった。
【００８１】
図１５Ａ，図１５Ｂは、実施の形態の光伝送装置のポストアンプで利得偏差が発生した場合の状態を説明する図である。図１５ＡはＣＨ利得補正前、図１５ＢはＣＨ利得補正後の状態を示す。
【００８２】
実施の形態によれば、図１５ＡのＣＨ利得補正前の状態において、図１５Ａ（ｂ）「装置モニタによるＣＨ利得」で箇所（Ｄ）−（Ｅ）間のポストアンプ２０４で発生したＣＨ利得偏差を正しく検出できる（符号１５０１部分）。箇所（Ｄ）−（Ｅ）間の「装置モニタ」は、図２に示す光ＣＨパワーモニタ部（ＯＣＭ）２０９によって、ＣＨ１とＣＨｎをＣＨ別に検出できる。これにより、ＲＯＡＤＭ１００の箇所（Ａ）−（Ｅ）間の「装置モニタによるＣＨ利得」は、ＣＨ１とＣＨｎが目標利得（点線）からずれていることを検出できる（符号１５０２部分）。
【００８３】
この後、実施の形態では、図１５ＢのＣＨ利得補正後の状態において、図１５Ｂ（ａ）の箇所（Ｄ）のポストＷＳＳ２０３のＡＴＴで利得補正を行う（符号１５０３部分）。これにより、図１５Ｂ（ｂ）の箇所（Ａ）−（Ｅ）では「実際のＣＨ利得」として、ＣＨ１とＣＨｎを目標利得（点線）に一致させることができる。そして、ＲＯＡＤＭ１１００が出力する「実際のＣＨ利得」として、ＣＨ１とＣＨｎの相対利得を同じ状態にして出力できる（符号１５０４部分）。
【００８４】
上述したように、実施の形態によれば、プリアンプ２０１およびポストアンプ２０４でＣＨ別の利得偏差が生じた場合であっても、これらプリアンプ２０１およびポストアンプ２０４で生じたＣＨ別の利得偏差を検出できる。そして、プリアンプ２０１とポストアンプ２０４に対応するプリＷＳＳ２０２とポストＷＳＳ２０３とでＡＴＴで利得補正を行うことにより、ＲＯＡＤＭ１００の出力をＣＨ間で利得一定に制御できるようになる。
【００８５】
また、上述した説明では、プリアンプ２０１あるいはポストアンプ２０４で利得偏差が生じた場合の処理例を示したが、これらプリアンプ２０１およびポストアンプ２０４で利得偏差が生じた場合においても、利得一定制御を行うことができる。
【００８６】
図１６は、従来技術による光伝送装置の他社相互接続状態を説明する図である。図１６（ａ）に示すように、従来、自社（Ａ社）の光伝送装置１１００を相互接続する場合、ＯＳＣの所定のフォーマットに基づき、制御情報を転送できる。例えば、ＯＳＣを用いて隣接する光伝送装置１１００の制御情報、例えば、波長数、波長配置、ＷＳＳ入出力ＣＨパワー、ＷＳＳ  ＡＴＴを取得できる。これにより、自社間接続であれば、ＯＳＣ経由で取得した制御情報に基づき、波長数変動時においても、出力パワーの一定制御が行える。
【００８７】
一方、図１６（ｂ）に示すように、従来、自社の光伝送装置１１００を他社（Ｂ社の光伝送装置１１１１、Ｃ社の光伝送装置１１１２と相互接続する場合、ＯＳＣのフォーマットや情報の中身が各社で異なる。このため、制御情報の転送には制約があり、光伝送装置１１００はＯＳＣ経由で隣接する光伝送装置１１１１の制御情報が取得できない。
【００８８】
このような状態で、波長数変動が発生した場合に、各光伝送装置１１００，１１１１，１１１２が同時に出力パワー一定化の制御を実施すると、大きなオーバーシュート、アンダーシュートが発生し、光伝送装置１１１２を含む伝送機器を破壊する恐れがある。
【００８９】
これのような不具合を防止するために、利得一定の制御方法が考えられる。しかしながら、装置利得一定制御の場合、上述したように、光伝送装置１１００の入出力はＰＤによるトータルパワーしか検出できないため、装置利得を正しくモニタできず、利得一定制御を精度良く実施することができなかった。
【００９０】
このように、光伝送装置を他社相互接続した場合等には、各光伝送装置は、入出力間の利得を正しくモニタできず、実際には目標利得に到達していないにも関わらず、目標利得に到達していると誤認識してしまう。このような光伝送装置を伝送路上で多段接続したＷＤＭ伝送システムでは、各光伝送装置でのパワー偏差が累積し、信号品質が劣化する問題を生じた。
【００９１】
これに対し、実施の形態の光伝送装置は、プリアンプおよびポストアンプに対し、それぞれ利得一定制御を行い、かつ、プリアンプおよびポストアンプで生じた波長別（ＣＨ間）の利得偏差を検出する。そして、ＣＨ間利得偏差をＷＳＳのＡＴＴ変化で調整するようにした。
【００９２】
これにより、光伝送装置内で入出力するＷＤＭ信号について、ＣＨ間利得偏差がなく、利得一定制御が行えるようになる。この際、従来技術のように、隣接する他の光伝送装置からＯＳＣ等による制御情報の転送を受けなくても、１台の光伝送装置内でＣＨ間利得偏差がない利得一定制御が行える。したがって、実施の形態の光伝送装置によれば、他社相互接続時であっても、各光伝送装置内でそれぞれＣＨ間利得偏差がない利得一定制御を行えるようになる。そして、光伝送装置を伝送路上で多段接続したＷＤＭ伝送システムにおいても、各光伝送装置でのパワー偏差が累積することがなく、信号品質の劣化を抑制することができる。
【００９３】
ＣＨ間利得偏差の検出は、既存のＷＳＳの入出力端の光信号の分岐入力に加えて、プリアンプ前段とポストアンプ後段の光信号の分岐入力に基づき、光ＣＨパワーモニタ部（ＯＣＭ）でＣＨ別の光出力を検出できる。これにより、簡単な構成でＷＤＭ信号の光伝送装置の各ＣＨを利得一定制御できるようになる。
【００９４】
ＷＳＳでのＡＴＴ変化量は、モニタ利得から目標利得を差し引いた値とすればよい。また、利得一定制御は、光伝送装置に対する入力−出力間で行うに限らない。例えば、光伝送装置内部に設けられる各ブロック、例えば、プリアンプ−プリＷＳＳ間、ポストＷＳＳ−ポストアンプ間での入出力の利得一定制御を行ってもよい。さらには、光伝送装置に対して挿入分岐するパスに対して利得一定制御を行うこともできる。例えば、光伝送装置が分岐させる光信号の入力−ＤＲＯＰポートのパスや、光伝送装置に挿入する光信号のＡＤＤポート−出力のパスのブロックでの入出力の利得一定制御を行うこともできる。
【００９５】
また、ＷＳＳとして、光信号のＡＤＤ／ＤＲＯＰ用のプリＷＳＳとポストＷＳＳを設けた場合、ＡＴＴ変化量をプリＷＳＳとポストＷＳＳとで分配してもよい。また、ＷＳＳに対するＡＴＴ変化量とともに、光増幅器（プリアンプおよびポストアンプ）に対する利得調整を加えて行うこともできる。
【００９６】
なお、本実施の形態で説明した光信号の利得制御にかかる方法は、あらかじめ用意された制御プログラムを対象機器等のコンピュータ（光伝送装置のプロセッサ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００９７】
上述した実施の形態に関し、さらに以下の付記を開示する。
【００９８】
（付記１）入力される波長多重信号を光増幅する光増幅器と、
前記波長多重信号の任意の波長の光信号を分岐、挿入または透過する波長選択スイッチと、
入力される前記波長多重信号と、出力する前記波長多重信号の各チャネルのパワーを検出する光チャネルパワーモニタ部と、
前記光チャネルパワーモニタ部で検出された前記波長多重信号の各チャネルのパワーに基づき、装置に対する入出力間の前記各チャネルの利得が一定となる前記各チャネルの光信号の変化量を算出し、前記波長選択スイッチの減衰量を調整する制御部と、
を有することを特徴とする光伝送装置。
【００９９】
（付記２）前記制御部は、
前記光チャネルパワーモニタ部で検出した各チャネルの利得から所定の目標利得との差分を求め、当該差分の利得に対応して各チャネルの減衰量を調整することを特徴とする付記１に記載の光伝送装置。
【０１００】
（付記３）前記制御部は、
装置内部を光信号の経路に対応して複数のブロックに分割し、各ブロックの入出力間の前記チャネルの利得が一定となるように、前記波長選択スイッチの減衰量を調整することを特徴とする付記１または２に記載の光伝送装置。
【０１０１】
（付記４）前記光チャネルパワーモニタ部は、前記光信号を挿入、分岐または透過するブロックの経路上の前記光信号の各チャネルのパワーを検出し、
前記制御部は、前記光信号を挿入、分岐または透過するブロックの入出力間の前記チャネルの利得が一定となるように、前記波長選択スイッチの減衰量を調整することを特徴とする付記３に記載の光伝送装置。
【０１０２】
（付記５）前記光増幅器は、
それぞれの出力パワーが一定に制御されたプリアンプと、ポストアンプと、を含み、
前記波長選択スイッチは、前記プリアンプの後段に設けられるプリ波長選択スイッチと、前記ポストアンプの前段に設けられるポスト波長選択スイッチとを含み、
前記制御部は、
前記プリアンプの入出力端および前記ポストアンプの入出力端における各チャネルの入出力パワーに基づき、前記プリアンプまたは前記ポストアンプで生じた光信号のチャネル別の利得偏差を求め、装置に対する入出力間の前記各チャネルの利得が一定となるように前記プリ波長選択スイッチと前記ポスト波長選択スイッチの少なくともいずれかの減衰量を調整することを特徴とする付記１〜４のいずれか一つに記載の光伝送装置。
【０１０３】
（付記６）前記制御部は、
前記光チャネルパワーモニタ部で検出された前記波長多重信号の前記各チャネルのパワーに基づき、装置に対する入出力間の前記各チャネルの利得が一定となる前記各チャネルの光信号の変化量を算出し、前記波長選択スイッチの減衰量および前記光増幅器の利得を調整することを特徴とする付記１に記載の光伝送装置。
【０１０４】
（付記７）前記制御部は、
前記波長選択スイッチの減衰量と前記光増幅器の利得変化量の和が、前記光チャネルパワーモニタ部で検出した利得と所定の目標利得との差分となるように、前記波長選択スイッチの前記各チャネルの減衰量および前記光増幅器の利得を調整することを特徴とする付記６に記載の光伝送装置。
【０１０５】
（付記８）前記光増幅器は、プリアンプとポストアンプとを含み、
前記波長選択スイッチは、前記プリアンプの後段に設けられるプリ波長選択スイッチと、前記ポストアンプの前段に設けられるポスト波長選択スイッチとを含み、
前記制御部は、
前記プリアンプの入出力端および前記ポストアンプの入出力端における前記各チャネルのパワーに基づき、前記プリアンプまたは前記ポストアンプで生じた前記各チャネル別の利得偏差を求めることを特徴とする付記６または７に記載の光伝送装置。
【０１０６】
（付記９）前記制御部は、
前記各チャネルの入出力のパワーに基づき、前記波長選択スイッチの減衰量と前記光増幅器の利得とを調整して前記各チャネルの装置の出力パワーが一定となる制御を行い、
前記各チャネルの装置の出力パワーが目標利得範囲に到達後、前記波長選択スイッチの減衰量と前記光増幅器の利得とを調整して前記各チャネルの装置入出力間の利得を一定にする制御を行うことを特徴とする付記１〜８のいずれか一つに記載の光伝送装置。
【０１０７】
（付記１０）入力される波長多重信号を光増幅する光増幅器と、前記波長多重信号の任意の波長の光信号を分岐、挿入または透過する波長選択スイッチと、入力される前記波長多重信号と、出力する前記波長多重信号の各チャネルのパワーを検出する光チャネルパワーモニタ部と、制御部とを備えた光伝送装置の光信号利得制御方法において、
前記制御部は、
前記光チャネルパワーモニタ部で検出された前記波長多重信号の各チャネルのパワーに基づき、装置に対する入出力間の前記各チャネルの利得が一定となる前記各チャネルの光信号の変化量を算出し、前記波長選択スイッチの減衰量を調整する、
ことを特徴とする光信号利得制御方法。
【０１０８】
（付記１１）前記制御部は、
前記光チャネルパワーモニタ部で検出した各チャネルの利得から所定の目標利得との差分を求め、当該差分の利得に対応して各チャネルの減衰量を調整することを特徴とする付記１に記載の光伝送装置。
【０１０９】
（付記１２）前記制御部は、
前記波長選択スイッチの減衰量と前記光増幅器の利得変化量の和が、前記光チャネルパワーモニタ部で検出した利得と所定の目標利得との差分となるように、前記波長選択スイッチの前記各チャネルの減衰量および前記光増幅器の利得を調整することを特徴とする付記１０に記載の光伝送装置。
【符号の説明】
【０１１０】
１００  光伝送装置
２０１  プリアンプ
２０４  ポストアンプ
２０５ａ，２０５ｂ，２０８ａ〜２０８ｃ，２１３ａ，２１３ｂ  光スプリッタ
２０６ａ，２０６ｂ，２１４ａ，２１４ｂ  光パワーモニタ部（ＰＤ）
２０７，２１５  アンプ制御部
２０９  光ＣＨパワーモニタ部（ＯＣＭ）
２１０  データ処理部
２１１  ＷＳＳ制御部
３０１  ＣＰＵ
３０２  記憶部
３０３  入出力Ｉ／Ｆ
３０４  バス
５０１，５０２  カード
６０１，６０２  カード間情報送受信部
【図１】
2019075679.tif 000003
【図２】
2019075679.tif 000004
【図３】
2019075679.tif 000005
【図４】
2019075679.tif 000006
【図５】
2019075679.tif 000007
【図６】
2019075679.tif 000008
【図７】
2019075679.tif 000009
【図８】
2019075679.tif 000010
【図９】
2019075679.tif 000011
【図１０】
2019075679.tif 000012
【図１１】
2019075679.tif 000013
【図１２】
2019075679.tif 000014
【図１３Ａ】
2019075679.tif 000015
【図１３Ｂ】
2019075679.tif 000016
【図１４】
2019075679.tif 000017
【図１５Ａ】
2019075679.tif 000018
【図１５Ｂ】
2019075679.tif 000019
【図１６】
2019075679.tif 000020